(57)【特許請求の範囲】
【請求項１】
フィルムの貼付対象及びそれが設置されている周辺の画像データを受信する店舗端末と、
前記店舗端末で受信された画像データを加工する加工用端末と、
前記加工用端末によって加工された画像データをフィルムに印刷する印刷装置と、を備え、
前記印刷装置による実際のフィルムへの印刷を行う場合と同じ印刷条件でプレ印刷を行い、当該プレ印刷されたフィルムの印刷の修正依頼がされた場合に、前記加工用端末によって画像データを加工する画像データ確認システム。
【請求項２】
前記プレ印刷を行う際に用いる印刷装置及び／又はフィルムと、前記実際のフィルムへの印刷を行う際に用いる印刷装置及び／又はフィルムとが同種である、請求項１記載の画像データ確認システム。
【請求項３】
前記店舗端末にネットワークを介して接続されており、前記画像データを送信するユーザ端末を備える、請求項１記載の画像データ確認システム。
【請求項４】
フィルムの貼付対象及びそれが設置されている周辺の画像データを受信し、
前記画像データを加工し、
前記加工後の画像データを実際のフィルムに印刷する場合と同じ印刷条件でプレ印刷を行い、
前記プレ印刷したフィルムの印刷の修正依頼がされた場合に前記画像データを再加工し、
前記再加工後の画像データに基づいて実際のフィルムへの印刷を行う、フィルム作成方法。
【発明の詳細な説明】
【技術分野】
【０００１】
本発明は、画像データ確認システム、フィルム印刷方法及びフィルムに関し、特に、エアーコンディショナー（以下、「エアコン」と称する。）室外機、貯水槽、灯油タンク、電気温水器、冷蔵庫、洗濯機などの電気製品等の筐体に貼付するフィルム表面に印刷する画像データの内容をユーザに確認させるための画像データ確認システム、フィルム印刷方法及びフィルムに関する。
【背景技術】
【０００２】
特許文献１には、建物の外壁面に取り付けられたエアコン室外機、給湯器、換気扇の外部フード、配管等の外部設備部材を化粧カバーで被覆して成る外壁の化粧カバー装置について開示されている。
【先行技術文献】
【特許文献】
【０００３】
【特許文献１】特開２０００−１９２６４４号公報
【発明の開示】
【発明が解決しようとする課題】
【０００４】
しかし、特許文献１のように、エアコン室外機に化粧カバー装置を設置すると、エアコン室外機及びその周辺を清掃したりメンテナンスをしたりする際に、化粧カバー装置を上下移動させなければならない。また、清掃等が完了すると、再度、化粧カバー装置をエアコン室外機に合わせて上下移動させなければならない。すなわち、特許文献１の化粧カバー装置の場合には、このような面倒な作業が必要となる。また、いくつかの化粧カバー装置が用意されていたとしても、エアコン室外機の設置箇所の周辺の景観に合っていないものしか存在しない場合も考えられる。
【０００５】
また、エアコン室外機を化粧カバー装置で被覆すると、化粧カバー装置に対して、通気を確保するための加工が必要となるため、その分、費用がかさむといった問題がある。
【０００６】
そこで、本発明は、エアコン室外機等を周囲の景観に合致する、エアコン室外機等に貼付するためのフィルムを提供することを課題とする。
【０００７】
【課題を解決するための手段】
【０００８】
上記課題を解決するために、本発明の画像データ確認システムは、
フィルムの貼付対象及びそれが設置されている周辺の画像データを受信する店舗端末（例えば、図１に示す店舗端末２０）と、
前記店舗端末で受信された画像データを加工する加工用端末（例えば、図１に示すデザイン部門端末３０、及び、製造・配送部門端末４０）と、
前記加工用端末によって加工された画像データに基づいてフィルムに印刷を行う印刷装置（例えば、図１に示す印刷装置６０）と、を備え、
前記印刷装置による実際のフィルムへの印刷を行う場合と同じ印刷条件でプレ印刷を行い、当該プレ印刷されたフィルムの印刷内容が画像データを撮影した箇所に合致する仕上がりでない場合に、前記加工用端末によって画像データを加工する。
【０００９】
上記課題を解決するために、本発明のフィルム作成方法は、
フィルムの貼付対象及びそれが設置されている周辺の画像データを受信し（例えば、図３のステップＳ４の処理）、
前記画像データを加工し（例えば、図３のステップＳ７の処理）、
前記加工後の画像データに基づいて実際のフィルムへの印刷を行う場合と同じ印刷条件でプレ印刷を行い（例えば、図３のステップＳ１１の処理）、
前記プレ印刷したフィルムの印刷内容が画像データを撮影した箇所に合致する仕上がりでない場合に前記画像データを再加工し、
前記再加工後の画像データに基づいて実際のフィルムへの印刷を行う。
【００１０】
本発明によれば、画像データの撮影条件、フィルム材料の種別、印刷装置で用いられるインクの種類、印刷装置の機種などに起因する、フィルムの印刷内容と画像データの撮影場所周辺との相違をなくすことが可能となる。
【００１１】
なお、前記印刷条件は、前記印刷装置及び／又は前記フィルムが同種という意味であり、また、前記店舗端末にネットワークを介して接続されており、前記画像データを送信するユーザ端末を備えていてもよい。
【００１２】
また、印刷とは、フィルムの表面に文字、図形、記号、模様、色彩など、または、これらを組合せてできる風景画、人物画、抽象柄などを形成することをいう。
【図面の簡単な説明】
【００１３】
【図１】本発明の実施形態の画像データ確認システム１００の模式的な構成図である。
【図２】図１のユーザ端末１０から店舗端末２０に送信されるユーザフォーマットページ９０の構成例を示す図である。
【図３】図１に示す画像データ確認システム１００の典型的な動作を説明するシーケンス図である。
【発明を実施するための形態】
【００１４】
以下、本発明の実施形態について図面を参照して説明する。
【００１５】
図１は、本発明の実施形態の画像データ確認システム１００の模式的な構成図である。図１には、以下説明する、ユーザ端末１０と、店舗端末２０と、デザイン部門端末３０と、製造・配送部門端末４０と、データベース（以下、「ＤＢ」と称する。）５０と、印刷装置６０と、ネットワーク７０，８０とを示している。以下、エアコン室外機に貼付するフィルムを製造する場合を例に、本実施形態の画像データ確認システム１００について説明する。
【００１６】
ユーザ端末１０は、ユーザの指示に応じて、後述する図２に示すようなユーザフォーマットページをダウンロードするものである。ユーザ端末１０は、そのユーザフォーマットページに対して、ユーザから入力される氏名・住所・電話番号などのユーザ情報と、フィルムの貼付対象であるエアコン室外機及びそれが設置されている周辺の画像データと、これに付帯して選択した情報とを含む必要な情報を、ネットワーク７０を介して店舗端末２０に対して送信するものである。ユーザ端末１０は、主として、その所有者であって、エアコン室外機に貼付するフィルムの発注者又は購入者によって操作されるものである。
【００１７】
なお、ユーザ端末１０、店舗端末２０、デザイン部門端末３０、及び、製造・配送部門端末４０は、パーソナルコンピュータ、タブレット端末などとすることができる。
【００１８】
上記の画像データとは、銀塩カメラ、デジタルカメラ、スマートフォン等に搭載されているカメラで撮影したものが挙げられる。また、これらのみならず、これらの印刷物、更に当該印刷物をスキャニングしたものも画像データに含まれる。
【００１９】
店舗端末２０は、ユーザ端末１０によってダウンロードされるユーザフォーマットページを作成して、ネットワーク７０に接続されている図示しないウェブサーバなどにアップロードするものである。また、店舗端末２０は、ユーザ端末１０から送信される情報を受信して、ＤＢ５０に登録するものである。店舗端末２０は、主として、デパート、スーパーマーケット、コンビニエンスストアなどの商業施設、インターネットモールのようなバーチャル店舗を含む専門店に設置され、そこで働く従業員或いは社員等によって操作される。
【００２０】
なお、ユーザ端末１０から店舗端末２０に必要な情報の全てを送信することに代えて、ユーザが電話などの他の情報伝達媒体を通じてユーザ情報等を送信してもよい。この場合は、店舗端末２０が設置されている店舗の店員等が、店舗端末２０を通じてＤＢ５０にユーザ情報等を登録すればよい。また、上記の画像データについては、カラーファクシミリなどを用いて、画像データを送信してもよい。この場合は、店舗端末２０が設置されている店舗の店員等が、スキャナなどを用いて画像データを店舗端末２０に取り込んでから、ＤＢ５０に登録すればよい。
【００２１】
デザイン部門端末３０は、その担当者の操作に従ってＤＢ５０にアクセスして、店舗端末２０によって登録された必要な情報を取得するものである。デザイン部門端末３０は、必要に応じて、この情報の取得と前後して、下記のような編集用ソフトウエアを起動して、当該編集用ソフトウエアを用いて、ＤＢ５０から取得した画像データに対して、輝度調整・カラー調整・ガンマ補正・コントラスト調整・色彩・模様のサイズ・レイアウト・色調・明度・フォントなどの編集作業を行い、編集後の内容でＤＢ５０を更新するものである。
【００２２】
ここで、上記編集作業は、特定の画像データが初めて送信されてきた場合であったり、後述する修正依頼がユーザ端末１０から送信されていない場合であったりする事情があれば、必ずしも行わなくてもよいものである。
【００２３】
ただし、例えば、エアコン室外機のメーカ及び型番毎に対応する色彩を一対でＤＢ５０等に登録しておき、ＤＢ５０から取得した情報にエアコン室外機のメーカ及び型番などが含まれていたことを条件に、その情報に付帯する画像データ内に映り込んでいるエアコン室外機の色彩がＤＢ５０に登録されている色彩に合致するように、デザイン部門端末３０によって画像データ全体を調整すれば、後述する修正処理を行う可能性を低減できるため好ましい。
【００２４】
上記編集用ソフトウエアは、これらに限定されるものではないが、例えば、Adobe社のAdobe Photoshop（登録商標）、ImageMagic Studio社のImageMagicが挙げられる。
【００２５】
製作・配送部門端末４０は、その担当者の操作に従ってＤＢ５０にアクセスして、デザイン部門端末３０によって更新された必要な情報を取得することによって、フィルムに印刷すべき情報を得るものである。製作・配送部門端末４０は、ＤＢ５０から取得した情報に基づいて、印刷装置６０に対してフィルムのプリントデータの出力及び印刷指示を行うものである。また、製作・配送部門端末４０は、印刷装置６０に対して、プレ印刷されたフィルムの配送先を示す住所・氏名等のプリントデータの出力及び印刷指示を行うものである。
【００２６】
印刷装置６０は、製作・配送部門端末４０から出力されるプリントデータに従って、フィルムに印刷をしたり、宛名ラベル又は封書等にプレ印刷されたフィルムの配送先を示す住所・氏名等を印刷したりするものである。印刷装置６０は、インクジェットタイプのものであっても、レーザータイプのものであってもよい。また、印刷装置６０或いはこれとは別の装置によって、選択的に、印刷後のフィルム表面に対して、透光性シートを覆うなどの処理をしてもよい。
【００２７】
ここで、本実施形態の画像データ確認システム１００では、フィルムの印刷を少なくとも２回行う。１回目の印刷は、製作・配送部門端末４０によってＤＢ５０に登録された情報に基づく実際のフィルムへの印刷に先立って、印刷装置６０を用いて当該フィルムと同じ素材から成る例えば相対的に小さいサイズのフィルムに対して行うプレ印刷である。
【００２８】
２回目の印刷は、このプレ印刷に基づいて、ユーザ端末１０を操作するユーザなどによってエアコン室外機及びその周辺に合致する印刷がされているか否かをチェックしてもらい、合致するとなった場合に行う実際のフィルムへの印刷である。
【００２９】
なお、エアコン室外機及びその周辺に合致する印刷がされていないとなった場合には、ユーザ端末１０等を通じてなされる修正依頼に従って、デザイン部門端末３０で画像データの明度等を再編集し、その再編集後のデータに基づいて２回目のプレ印刷を行い、以後、同様に、合致するまで修正をしてから、最終的に実際のフィルムへの印刷を行う。
【００３０】
プレ印刷を行うフィルムは、実際のフィルムのサイズよりも相対的に小さくてよく、例えば、１０ｃｍ〜２０ｃｍ四方の大きさとすればよい。一方、実際のフィルムのサイズは、４５０ｍｍ〜１３００ｍｍ幅のロールなどを用いて、適宜必要な長さ分をカットしたものとすればよい。
【００３１】
また、フィルム素材、インク、印刷装置６０をいくつか用意しておき、ユーザ端末からの指示に基づいていずれかを選択してもよい。或いは、異なるいくつかのフィルム素材、インク、印刷装置を用いて複数のプレ印刷を行うことで、フィルムの修正作業が１度で済むようにしてもよい。
【００３２】
ネットワーク７０は、ユーザ端末１０と店舗端末２０とを結ぶ、インターネットなどのネットワークである。ネットワーク８０は、店舗端末２０とデザイン部門端末３０と製造・配送部門端末４０とＤＢ５０と印刷装置６０とを結ぶ、イントラネットなどのネットワークである。
【００３３】
印刷装置６０によって画像データに基づく印刷がされたフィルムは、ユーザ端末１０を通じて送信されたユーザ情報に基づいて、郵送、宅配便、代金引換便等によって配送する。この結果、典型的には、ユーザ端末１０を操作するユーザは、配送されたフィルムを持って撮影現場に足を運び、そのフィルムとエアコン室外機周辺とを対比すれば、エアコン室外機及びその周辺に合致する印刷がフィルムにされているか否かを確認することが可能となる。
【００３４】
そして、両者が合致していない場合には、ユーザ端末１０などを通じて、例えば、明度を上げるであるとか、青色をもう少し強めるであるとかといった、指示を店頭端末２０に向けて送信すればよい。この修正項目についても、ユーザフォーマットページ内に、入力項目を作成してもよいし、ユーザコメントとして文書でユーザが編集指示を入力してもよい。その後、両者が合致するとなれば、既述のように、実際の印刷を行うことになる。
【００３５】
図２は、図１のユーザ端末１０から店舗端末２０に送信されるユーザフォーマットページ９０の構成例を示す図である。図２に示すユーザフォーマットページ９０は、ユーザ情報欄９２と、フィルム情報欄９４と、画像データ欄９６と、ユーザコメント欄９８とに大別される。
【００３６】
ユーザ情報欄９２は、ユーザの氏名・名称の入力欄、郵便番号・住所の入力欄、電話番号の入力欄、及び、Ｅメールアドレスの入力欄といった、ユーザを特定可能な情報の入力欄を含む。ユーザ情報欄９２には、図２に示したものの他にも、発注者と購入者とが異なる場合を考慮して、両者についての情報の入力欄、代金の支払いに必要なクレジットカード番号等の入力欄などが含まれていてもよい。
【００３７】
フィルム情報欄９４は、フィルムの貼付対象となる機器の名称の入力欄、屋外使用されるものであるか屋内使用されるものであるかの種別の選択欄、対象機器の型番又は外形寸法の入力欄、フィルムの印刷種別の選択欄とを含む。
【００３８】
画像データ欄９６は、例えば、最大３枚の画像データを添付できるように構成されている。画像データの添付の際には、これに限定されるものではないが、ユーザフォーマットページ９０に対して、所望の画像データのファイルをドラッグアンドドロップすることによって選択させたり、既知のように「ファイルの選択」ボタンを設けておき、これが押下されたことをトリガーとしてフォルダを開いて、画像データのファイルを選択させたりすればよい。
【００３９】
ユーザコメント欄９８は、フリーワードで、ユーザから店舗等に対する要望であったり、注意事項だったりを入力させるものである。また、ユーザコメント欄９８は、ユーザフォーマットページ９０が図２に示す１パターンものでしかない場合には、既述の修正依頼時の依頼事項の入力欄として用いてもよい。一方、ユーザフォーマットページ９０を、少なくとも、もう１パターン用意して、修正依頼時の依頼事項をユーザに選択させる選択欄を設けてもよい。係る場合には、両ユーザフォーマットページをリンクで相互に接続するとよい。
【００４０】
ここで、後述のように、フィルムの貼付対象が特注品である場合には、その貼付対象の外形寸法等を店舗端末２０側で特定することが困難な場合がある。係る場合には、ユーザコメント欄９８には、専門スタッフの派遣等を希望する旨を入力するとよく、また、これを受けた店舗端末２０の担当者は、専門スタッフの派遣等を行うとよい。
【００４１】
つぎに、ユーザによるフィルム情報欄９４への情報の入力例又は選択例について簡単に説明する。本実施形態の場合、フィルムの貼付対象はエアコン室外機であるので、「対象機器」の入力欄には「エアコン室外機」と入力すればよい。したがって、フィルムの貼付対象が貯水槽、灯油タンク、電気温水器、冷蔵庫、洗濯機などであれば、これらのいずれかが入力されることになる。
【００４２】
また、本実施形態では、フィルムは、「屋外設置」されているものに使用されるのか、「屋内設置」されているものに使用されるのかによって、その材質を変えられるようにしている。ここでは、フィルムの貼付対象には、洗濯機等のように、屋内外のいずれでも使用しうるものもあるので、屋外使用か屋内使用かを選択させるようにしている。
【００４３】
「屋外設置」の場合は、例えば、耐候性のあるポリ塩化ビニル、ポリウレタン、ポリエチレンテレフタレート（ＰＥＴ）等をフィルム素材として使用することができる。一方、「屋内設置」の場合は、例えば、ポリエチレン、ポリプロピレン等のポリオレフィンをフィルム素材として使用することができる。
【００４４】
なお、フィルムを屋外設置のものに使用するか屋内設置のものに使用するかに拘わらず、ユーザがその材質を選択できるようにしてもよいし、例えば、上記の中では耐候性に優れたポリ塩化ビニルを一律に使用することも可能である。また、フィルムの裏面には粘着剤が塗付されているものを用いるとよい。
【００４５】
つぎに、「型番」には、対象機器であるエアコン室外機の本体に添付されているシールであったり、取扱説明書であったりに表記されている型番を入力する。型番は、製作・配送部門端末４０において、フィルムのサイズを決定するために用いることができる。なお、ユーザがエアコン室外機の型番を特定できないのであれば、その外形寸法を入力することで、フィルムのサイズを決定できるようにしている。
【００４６】
なお、対象機器が貯水槽などである場合、大型化したものでは特注品となり、そもそも型番が存在しない場合がある。係る場合には、外形寸法を入力できるようにしておくことは都合がよい。加えて、外形寸法の計測が面倒だったり、困難だったりする場合もあるので、係る場合には、専門スタッフの派遣希望などを入力してもよい。
【００４７】
フィルムの印刷種別の選択欄は、本実施形態では、これまでの説明から理解できるように、一番下の項目を選択した場合を主として説明しているが、この他にも、ユーザが独自に装飾的視点からフィルムの印刷対象を選択してもよいし、予め店舗端末２０側で印刷パターンを用意しておき、その中から選択できるようにしてもよい。
【００４８】
印刷パターンは、これらに限定されるものではないが、レンガ、ブロック、サイディング、木目（縦、横）、ログ（丸太）、打ちっ放しコンクリート等の色彩・模様の見本、背景が「屋根」の場合には、瓦、スレート、金属等の色彩・模様の見本、さらに、代表的な「樹木」「草木」「花卉園芸」等の色彩・模様の見本などとすればよく、例えば、レンガ等も色彩・大きさなどの異なった数種類を用意するとよい。
【００４９】
図３は、図１に示す画像データ確認システム１００の典型的な動作を説明するシーケンス図である。
【００５０】
まず、店舗端末２０は、その担当者によって、図２に示したようなユーザフォーマットページ９０が作成され、その送信指示がなされると、そのユーザフォーマットページ９０を、ネットワーク７０に接続されている図示しないウェブサーバなどにアップロードする（ステップＳ１）。
【００５１】
これにより、ユーザ端末１０は、ユーザの指示に応じて、ユーザフォーマットページ９０をダウンロードすることが可能となる。このため、ユーザ端末１０からダウンロード指示がなされると（ステップＳ２）、そのユーザフォーマットページ９０に対して、ユーザから各種情報が入力等できるようになる。
【００５２】
実際に、ユーザフォーマットページ９０に対して、ユーザから各種情報が入力等され、さらに、画像データが添付され、その後に送信指示がなされると、ユーザ端末１０は、ネットワーク７０を介して店舗端末２０に対して、ユーザフォーマットページ９０に入力等された、フィルムの作成に必要な情報を送信する（ステップＳ３）。
【００５３】
店舗端末２０は、ユーザ端末１０から送信される各種情報を受信すると（ステップＳ４）、それらの情報を紐付けた態様でＤＢ５０に登録する（ステップＳ５）。これにより、デザイン部門端末３０は、その担当者の指示に応じてＤＢ５０にアクセスして、そこに登録されている各種情報を取得することが可能となる。
【００５４】
その後、実際に、デザイン部門端末３０が、その担当者の操作に従ってＤＢ５０にアクセスすることによって、フィルムに印刷するために必要な情報を取得して（ステップＳ６）、また、これに付帯して編集用ソフトウエアを起動すると、所望の編集作業を行う（ステップＳ７）。
【００５５】
そして、デザイン部門端末３０は、編集後の内容でＤＢ５０を更新する（ステップＳ８）。これにより、製作・配送部門端末４０は、その担当者の指示に応じてＤＢ５０にアクセスして、そこに登録されている各種情報を取得することが可能となる。
【００５６】
その後、実際に、製作・配送部門端末４０が、その担当者の操作に従ってＤＢ５０にアクセスすることによって、フィルムに印刷するために必要な情報を取得して（ステップＳ９）、プレ印刷を実行するためにプリントデータを印刷装置６０に出力するとともに、プレ印刷されたフィルムを配送するためにその配送先を示すプリントデータの出力を印刷装置６０に出力する（ステップＳ１０）。
【００５７】
印刷装置６０は、製作・配送部門端末４０から出力されるプリントデータを入力すると、当該プリントデータに従って、フィルムにプレ印刷を行う（ステップＳ１１）。これにより、ユーザ端末１０のユーザ等が、エアコン室外機及びその周辺に合致するプレ印刷がされているか否かをチェックすることができる。
【００５８】
このチェックをユーザが行った結果、プレ印刷がエアコン室外機及びその周辺に合致しないとなった場合には、ユーザはフィルムの修正依頼を行うことができる。この修正依頼の送信から、２回目のプレ印刷までの画像データ確認システム１００の動作は、ステップＳ２〜ステップＳ１１と同じである。
【００５９】
また、その後、２回目のプレ印刷がエアコン室外機及びその周辺に合致することなった場合に、実際の印刷を行うために、正式な印刷指示を出した後の画像データ確認システム１００の動作も、ステップＳ２〜ステップＳ１１と同じである。
【００６０】
なお、実際の印刷を行うことによって製作されたフィルムは、ユーザの要求に応じて、その配送だけでなく、対象機器への貼付業務を店舗端末２０の担当者等が請負等により作業してもよい。ユーザは、この依頼をユーザフォーマットページ９０のユーザコメント欄を通じて、又は、電話などを通じて行うことができる。
【００６１】
以上のように、本実施形態の画像データ確認システムは、ユーザに対するフィルムの提供により、周囲の景観に合ったユーザが納得する色彩・模様のフィルムを短納期で小ロット生産することができ、顧客ニーズにあったフィルムの製作・提供が可能になる。
【００６２】
なお、店舗側の端末としては、店舗端末２０、デザイン部門端末３０、及び、製作・配送部門端末４０という３つを例示して説明したが、これらのうちの幾つかは、他の業務を兼用するようにして、端末数を削減することも可能であるし、一の端末の業務の一部又は全てを他の端末で行うことも可能である。さらに、各端末は、同一の店舗エリア内に設置されてもよいし、いくつかは別のエリア内に設置されてもよい。
【要約】      （修正有）【課題】エアコン室外機等を周囲の景観に合致する、エアコン室外機等に貼付するフィルムを提供する。【解決手段】フィルムの貼付対象及びそれが設置されている周辺の画像データを受信する店舗端末２０と、店舗端末２０で受信された画像データを加工する加工用端末３０、４０と、加工用端末３０、４０によって加工された画像データに基づいてフィルムに印刷を行う印刷装置６０と、を備える。印刷装置６０による実際のフィルムへの印刷に先立って印刷装置６０を用いて、同じ素材から成るフィルムに対してプレ印刷を行い、プレ印刷されたフィルムの印刷内容が画像データを撮影した箇所に合致する仕上がりでない場合に、加工用端末３０、４０によって画像データを加工する。【選択図】図１【図１】
0005710828.tif 000002
【図２】
0005710828.tif 000003
【図３】
0005710828.tif 000004